(57)【要約】      （修正有）【課題】書類及び文房具等を収納可能な複数の収納室を有する小物収納具を提供する。【解決手段】小物収納具は、可撓性を有する３枚の樹脂シートを重ね合わせて周縁部を溶着した本体部と、本体部の開口部を閉塞する閉塞部材とを有する。本体部は、３枚の樹脂シートとして、小物収納具の背面側から、第１シート１８、ポケットシート２２及び第２シート２０の順に重ねて配置される。第１収容室２４は、第１シート１８とポケットシート２２との間に形成される。第２収容室２６は、ポケットシート２２と第２シート２０との間に形成される。厚手の被収容物を収容する第１収容室２４と、薄手の被収容物を収容する第２収容室２６とが厚さ方向に重なり、ポケットシート２２の底辺２２３は、底マチの第２折目２８２に重なる。【選択図】図４
0003235384.tif 000002
【実用新案登録請求の範囲】
【請求項１】
厚手の被収容物を収容する第１収容室と、薄手の被収容物を収容する第２収容室とが厚さ方向に重なった小物収納具であって、
前記第１収容室の背部を構成する第１シートと、
前記第１シートの前面側に重ね合わされた第２シートと、
前記第１シート及び前記第２シートに重ね合わせて配置され、前記第２シートとの間に前記第２収容室を形成するポケットシートと、を備え、
前記第１収容室の底部は、前記第１シートの底辺と前記第２シートの底辺との接合部を含み前記第１収容室の下端を塞ぐ底マチを有し、
前記底マチは、
前記第１シートとの境に形成され前記第１シートの下端から前記第１シートと前記第２シートとの間の上方に向けて屈曲する第１折目と、
前記第２シートとの境に形成され前記第２シートの下端から前記第１シートと前記第２シートとの間の上方に向けて屈曲する第２折目と、
前記第１折目と前記第２折目との間の前記底部に形成された第３折目と、を有し、
前記ポケットシートの底辺は、前記底マチの前記第２折目に重なる、
小物収納具。
【請求項２】
請求項１記載の小物収納具であって、前記ポケットシートは、前記第２シートの前面から前記第２シートに重ね合わされ、前記第２収容室は前記第２シートの前面に形成される、小物収納具。
【請求項３】
請求項１記載の小物収納具であって、前記ポケットシートは、前記第２シートの背面から前記第２シートに重ね合わされ、前記第２収容室は前記第２シートの背面に形成される、小物収納具。
【請求項４】
請求項１〜３のいずれか１項に記載の小物収納具であって、
前記第１折目は、前記第１シートに含まれ、かつ前記第１シートに折目加工を施して形成され、
前記第２折目は、前記第２シートに含まれ、かつ前記第２シートに折目加工を施して形成され、
前記第３折目は前記第１シートと前記第２シートとの接合部により形成される、小物収納具。
【請求項５】
請求項４記載の小物収納具であって、前記第１シート、前記第２シート及び前記ポケットシートの材料は、布であり、前記第３折目は、前記第１シートの背面と前記第２シートの前面とを向かい合わせで重ね合わせて縫合して形成される、小物収納具。
【請求項６】
請求項５記載の小物収納具であって、前記第３折目は前記第１折目及び前記第２折目よりも高い剛性を有することで前記底マチの形状を保つ、小物収納具。
【請求項７】
請求項１〜３のいずれか１項に記載の小物収納具であって、
前記第１折目は、前記第１シートと前記第２シートとの接合部により形成され、
前記第２折目及び前記第３折目は、前記第２シートに含まれ、かつ前記第２シートに折目加工を施して形成される、小物収納具。
【請求項８】
請求項７記載の小物収納具であって、前記第１シート、前記第２シート及び前記ポケットシートの材料は、可撓性の樹脂シートであり、前記第１折目は前記第１シートと前記第２シートとの溶着部により形成される、小物収納具。
【請求項９】
請求項８記載の小物収納具であって、前記第１折目は、前記第２折目及び前記第３折目よりも下方に延びて前記第２シートに重ならない位置に配置され、前記第１折目は前記第２シートの前記第２折目及び前記第３折目に妨げられることなく溶着可能である、小物収納具。
【請求項１０】
請求項８又は９記載の小物収納具であって、前記第２シートの材料は、透明な樹脂シートであり、前記ポケットシートの材料は半透明な樹脂シートである、小物収納具。
【請求項１１】
請求項７〜１０のいずれか１項に記載の小物収納具であって、前記ポケットシートの底辺は、前記第２折目に接合されておらず、前記第２収容室の底部は前記第１収容室の前記底部と共通する、小物収納具。
【考案の詳細な説明】
【技術分野】
【０００１】
本考案は、書類及び文房具等を収容可能な複数の収納室を有する小物収納具に関する。
【背景技術】
【０００２】
小物収納具として、２枚のシートを重ねて周縁部を縫合又は溶着した収納室を有する小物収納具が知られている。この種の小物収納具は、厚手の被収容物の収容を可能とするために、袋状の収納室の底部を内側に折り込んだ底マチを有している場合もある。
【０００３】
底マチを有する小物収納具は、未使用時又は薄手の被収容物を収容した状態では、底マチが折りたたまれることで薄くなるので、保管性及び運搬性に優れる。
【先行技術文献】
【特許文献】
【０００４】
【特許文献１】特開２０１９−１８２５４３号公報
【考案の概要】
【考案が解決しようとする課題】
【０００５】
小物収納具は、カードといった薄手の被収容物を厚手の被収容物と共に収容すると、薄手の被収容物を不用意に屈曲させたり、汚損させたりする可能性がある。そのため、底マチを有する小物収納具においても、薄手の被収容物を損傷させることなく厚手の被収容物と共に収容できることが望ましい。
【０００６】
本考案は、上述した課題を解決することを目的とする。
【課題を解決するための手段】
【０００７】
以下の開示の一観点は、厚手の被収容物を収容する第１収容室と、薄手の被収容物を収容する第２収容室とが厚さ方向に重なった小物収納具であって、前記第１収容室の背部を構成する第１シートと、前記第１シートの前面側に重ね合わされた第２シートと、前記第１シート及び前記第２シートに重ね合わせて配置され、前記第２シートとの間に前記第２収容室を形成するポケットシートと、を備え、前記第１収容室の底部は、前記第１シートの底辺と前記第２シートの底辺との接合部を含み前記第１収容室の下端を塞ぐ底マチを有し、前記底マチは、前記第１シートとの境に形成され前記第１シートの下端から前記第１シートと前記第２シートとの間の上方に向けて屈曲する第１折目と、前記第２シートとの境に形成され前記第２シートの下端から前記第１シートと前記第２シートとの間の上方に向けて屈曲する第２折目と、前記第１折目と前記第２折目との間の前記底部に形成された第３折目と、を有し、前記ポケットシートの底辺は、前記底マチの前記第２折目に重なる、小物収納具にある。
【考案の効果】
【０００８】
上述の観点の小物収納具は、第２収容室に薄手の被収容物を収容することで、薄手の被収容物を損傷させることなく、厚手の被収容物と共に収納できる。
【図面の簡単な説明】
【０００９】
【図１】図１は、第１実施形態に係る小物収納具の正面図である。
【図２】図２は、図１の小物収納具の背面図である。
【図３】図３は、図１の小物収納具の底部の部分拡大図である。
【図４】図４は、図１の小物収納具の底部付近の断面図である。
【図５】図５は、図１の小物収納具の収容室に被収容物を収容した状態を示す説明図である。
【図６】図６は、第２実施形態に係る小物収納具の斜視図である。
【図７】図７は、図６の小物収納具を開いた状態の背面を示す図である。
【図８】図８は、図６の小物収納具を開いた状態の収容室の平面図である。
【図９】図９は、図６の小物収納具の収容室の底部付近の断面図である。
【考案を実施するための形態】
【００１０】
（第１実施形態）
図１に示すように、本実施形態の小物収納具１０は、薄手の封筒状の外観を有する。小物収納具１０は、例えば、書類、スマートフォン及び筆記具の被収容物を整理して収納するべく、厚さ方向に２つの収容室（第１収容室２４と第２収容室２６）を有する。
【００１１】
小物収納具１０は、可撓性を有する３枚の樹脂シートを重ね合わせて周縁部を溶着した本体部１２と、本体部１２の開口部を閉塞する閉塞部材１４とを有する。本体部１２は、３枚の樹脂シートとして、第１シート１８と、第２シート２０と、ポケットシート２２とを有する。小物収納具１０の背面側から、第１シート１８、ポケットシート２２及び第２シート２０の順に重ねて配置される。第１収容室２４は、第１シート１８とポケットシート２２との間に形成される。第１収容室２４の上側の一部は、第１シート１８と第２シート２０との間に形成される。第２収容室２６は、ポケットシート２２と第２シート２０との間に形成される。
【００１２】
第１シート１８、第２シート２０及びポケットシート２２の材料は、例えば、厚さが０．３ｍｍ程度の塩化ビニル樹脂である。この塩化ビニル樹脂は、必要に応じて抗菌物質（又は抗ウイルス物質）が練り込まれた素材であってもよい。
【００１３】
第１シート１８は、着色された不透明な樹脂シートにより形成される。第１シート１８は、全体が一体的に形成される。第１シート１８は、背面部１８１と、フラップ１８２とを有する。図２に示すように、背面部１８１は、矩形状の形状を有する。背面部１８１は、小物収納具１０の背面３０を形成する。図１に示すように、フラップ１８２は、背面部１８１の上端から延び出る。フラップ１８２は、背面部１８１との境界１８３で小物収納具１０の前面３２の上に折り返される。フラップ１８２は、第２シート２０の前面２０４の一部を覆う。フラップ１８２は、第２シート２０を覆うことにより、第１収容室２４の開口部２４１及び第２収容室２６の開口部２６１を覆う。フラップ１８２は、第２シート２０の前面に固定するための閉塞部材１４を有する。フラップ１８２は、閉塞部材１４によって第２シート２０の前面に設けられた閉塞部材１４に脱着可能に固定される。
【００１４】
図５に示すように、第２シート２０は、透明な樹脂シートにより形成される。第２シート２０は、背面部１８１（図２参照）と同じ幅の矩形の形状を有する。第２シート２０の上辺２００は、背面部１８１の境界１８３よりも下方に位置する。図１に示すように、第２シート２０は、幅方向の第１側部２０１が第１シート１８の第１側部１８４に溶着される。第２シート２０は、第２側部２０２が第１シート１８の第２側部１８５に溶着される。第２シート２０の底辺２０３は、第１シート１８の底辺１８６に溶着される。図５に示すように、第２シート２０の前面２０４の上部には閉塞部材１４が溶着されている。
【００１５】
図３に示すように、小物収納具１０は、底マチ２８を有する。底マチ２８は、第１折目２８１と、第２折目２８２と第３折目２８３とを有する。第１折目２８１は、第１シート１８の底辺１８６と第２シート２０の底辺２０３との溶着部２０５により形成される。第２折目２８２及び第３折目２８３は、第２シート２０に折り曲げ加工を施すことで形成される。第２折目２８２は、第２シート２０の表面と底部との境界に位置し、幅方向に延びる。第３折目２８３は、第１折目２８１と第２折目２８２との間の第２シート２０を折り返して形成される。
【００１６】
図４に示すように、ポケットシート２２は、第１シート１８と第２シート２０との間に配置される。ポケットシート２２は、第２シート２０に近接して配置される。ポケットシート２２は、幅方向の第１側部２２１が第１シート１８の第１側部１８４及び第２シート２０の第１側部２０１と共に溶着される。ポケットシート２２は、幅方向の第２側部２２２が第１シート１８の第２側部１８５及び第２シート２０の第２側部２０２と共に溶着される。ポケットシート２２の底辺２２３は、第２折目２８２に溶着される。ポケットシート２２は、底辺２２３が第２折目２８２に溶着されることにより、第２シート２０との間に第２収容室２６を形成する。
【００１７】
ポケットシート２２の材料は、半透明の樹脂シートである。ポケットシート２２の底辺２２３を第２折目２８２に溶着しない場合には、製造工程での寸法変化により、ポケットシート２２が撓むおそれがある。本実施形態では、ポケットシート２２は、底辺２２３が第２折目２８２に溶着されることにより、製造工程でのポケットシート２２の変形が抑制される。
【００１８】
ポケットシート２２は、第２シート２０の幅方向の中央に設けられた溶着部２２４において第２シート２０に接合される。溶着部２２４は、ポケットシート２２の下端から上端の範囲で上下方向に延びる。溶着部２２４は、第２収容室２６を２区画に仕切る。
【００１９】
第１収容室２４は、第１シート１８とポケットシート２２との間に形成される。第１収容室２４の上側の一部は、第１シート１８と第２シート２０との間に形成される。第１収容室２４は、底部が底マチ２８で覆われている。したがって、第１収容室２４は底マチ２８が広がることで、厚さ方向に膨らむ。図１に示すように、底マチ２８の第１折目２８１は、第２シート２０の第２折目２８２よりも下方に延び出ている。このため、第２折目２８２と第１折目２８１とは正面視で重なってはいない。第１折目２８１は、第２シート２０の外方に突出するため、第２折目２８２に妨げられずに第１折目２８１のみを溶着できる。
【００２０】
次に、本実施形態の小物収納具１０の製造方法について説明する。まず、第２シート２０とポケットシート２２とを用意する。次に、ポケットシート２２の底辺２２３は、第２シート２０の背面に溶着により接合される。
【００２１】
その後、第２折目２８２が形成される。第２折目２８２は、ポケットシート２２と第２シート２０との溶着部を折り曲げて形成される。また、第２シート２０は、その底辺２０３付近が折り曲げられることにより第３折目２８３が形づけられる。第２折目２８２及び第３折目２８３は、加熱処理等により屈曲した形状に形付けられる。
【００２２】
次に、第２シート２０及びポケットシート２２は、第１シート１８に重ね合わされる。ポケットシート２２の底辺２２３は、第３折目２８３を介して第１シート１８から離間するため、第２シート２０の底辺２０３が第１シート１８の底辺１８６に当接する。その後、第１シート１８の底辺１８６と、第２シート２０の底辺２０３とが溶着される。これと同時に、第１シート１８、第２シート２０及びポケットシート２２の両側部が溶着される。その後、第２シート２０及びフラップ１８２に閉塞部材１４が取り付けられる。以上の工程により、本実施形態の小物収納具１０が完成する。
【００２３】
本実施形態の小物収納具１０の作用について説明する。
【００２４】
図５に示すように、小物収納具１０は、底マチ２８を有する第１収容室２４が厚さ方向に広がることができる。したがって、第１収容室２４は、書類及びペンケースといった比較的厚手の被収容物を収容できる。また、第２収容室２６はスマートフォン等の比較的薄手の被収容物を収容できる。第２収容室２６の表側を覆う第２シート２０の材料は、透明な樹脂シートであるため、スマートフォンの画面を視認可能とする。また、第２シート２０の材料は、塩化ビニル樹脂であるため、第２シート２０の外側から指でスマートフォンの操作を行うことができる。このように、本実施形態の小物収納具１０は、第２収容室２６を外部から視認可能な小ポケットとして利用することができる。
【００２５】
（第１実施形態の変形例）
本変形例は、図１〜図５を参照しつつ説明した小物収納具１０の変形例である。本変形例では、小物収納具１０においてポケットシート２２の底辺２２３が第２折目２８２に溶着されていない。本変形例では、ポケットシート２２は、底辺２２３が第２シート２０に固定されないことにより、第２収容室２６が厚さ方向に広がることを可能とする。これにより、本変形例の小物収納具１０は、第２収容室２６に厚みのある被収容物を収容できる。
【００２６】
（第２実施形態）
図６に示す本実施形態の小物収納具４０は、ペンケースである。小物収納具４０は、例えば、ペン、鉛筆及び定規等の長尺の文房具の収納に使用される。小物収納具４０は、本体部４２と、ファスナー４４とを有する。図７に示すように、本体部４２は、屈曲部４６を広げることで平面状に広がる。本体部４２は、幅方向の中央に上下方向に延びる屈曲部４６を有している。本体部４２は、屈曲部４６を中心に左右対称に形成されている。本体部４２は、屈曲部４６で半分に折り畳むことができる。本体部４２を屈曲部４６で半分に折り畳むと、図６に示すように、本体部４２の周縁４２１が重なる。本体部４２は、半分に折り畳んだ状態で、底辺４２３、側辺４２２、及び上辺４２４が重なる。ファスナー４４は、本体部４２の周縁４２１の側辺４２２及び上辺４２４に縫合される。
【００２７】
ファスナー４４の始端４４２は、本体部４２の屈曲部４６の上端４６１にある。ファスナー４４は、本体部４２の屈曲部４６の上端４６１から２つの上辺４２４に沿って延びる。ファスナー４４は、さらに、本体部４２の２つの側辺４２２に沿って延びる。ファスナー４４の末端４４３は、本体部４２の２つの側辺４２２の下端部にある。ファスナー４４は、スライダー４４１を有する。スライダー４４１は、始端４４２から末端４４３に移動する。スライダー４４１を末端４４３に向けて移動させると、ファスナー４４が閉塞してゆく。スライダー４４１が末端４４３に到達するとファスナー４４が完全に閉塞する。ファスナー４４が完全に閉塞すると、図６に示すように、小物収納具４０が屈曲部４６を中心に半分に折り畳まれた形状となる。ファスナー４４を閉塞した状態の小物収納具４０は、底辺４２３に平坦部が現われる。底辺４２３の平坦部は、小物収納具４０を自立させることができる。
【００２８】
図８に示すように、小物収納具４０の本体部４２は、第１シート４８と、第２シート５０と、ポケットシート５２とを有する。第１シート４８及び第２シート５０は、例えば帆布生地等の厚手の布地で構成される。ポケットシート５２は、例えば、メッシュ生地で構成される。第１シート４８は、図７に示すように、本体部４２の背面４２５を構成する。第１シート４８は、本体部４２の背面４２５の平面形状と同じ平面形状を有する。
【００２９】
図８に示すように、第２シート５０は、第１シート４８の表面４８０の上に重ね合わせて配置される。第２シート５０は、第１シート４８との間に厚手の被収容物を収容する第１収容室５４を形成する。第２シート５０は、第１シート４８の幅方向の寸法と同じ幅方向の寸法を有する。第２シート５０の上下方向の寸法は、第１シート４８の上下方向の寸法よりも小さい。第２シート５０は、下端５０１に第２折目５８２を有する。第１折目５８１は、第２シート５０を第１シート４８に接近する方向に折り返した構造を有する。第２シート５０の上端５０２は、本体部４２の上辺４２４よりも下方に離間する。第２シート５０の上端５０２に第１収容室５４の開口部５４１が形成される。
【００３０】
第２シート５０は、幅方向の側辺５０４が、第１シート４８の一方の側辺４８１に縫合される。また、第２シート５０は、幅方向の側辺５０５が第１シート４８の他方の側辺４８２に縫合される。図９に示すように、第２シート５０の底辺５０３は、第２シート５０の下端５０１（第２折目５８２）よりも上方に位置する。底辺５０３は、第１シート４８の底辺４８３と縫合される。第２シート５０は、屈曲部４６の幅方向に位置し、上下方向に延びる第１縫合部５０６において第１シート４８に縫合される。第１縫合部５０６は、第１収容室５４を左右の２区画に仕切る。
【００３１】
図９に示すように、第１収容室５４は、背部が第１シート４８で覆われ、表部が第２シート５０で覆われる。第１収容室５４は、底部に底マチ５８を有する。本実施形態の底マチ５８は、第１折目５８１と、第２折目５８２と、第３折目５８３とを有する。第１折目５８１は、第１シート４８の底辺４８３に形成される折目である。第２折目５８２は、第１シート４８を上方に折り返して形成される。第２折目５８２は、第２シート５０の下端５０１に形成される折目である。
【００３２】
第２折目５８２は、第２シート５０を上方に折り返して形成される。第２折目５８２は、ポケットシート５２と第２シート５０とが縫合された第２縫合部５８４を有する。第３折目５８３は、第１シート４８の底辺４８３と第２シート５０の底辺５０３とを縫合した第３縫合部５８５を有する。第３折目５８３は、第１シート４８の背面４２５と、第２シート５０の表面５０７とを当接させて縫合した構造を有する。このよう構造を有する底マチ５８において、厚手の第１シート４８の第１折目５８１と、第２シート５０の第２折目５８２とが元の薄板状の形状に戻ろうとする。そのため、底マチ５８は、第１折目５８１及び第２折目５８２が本体部４２の厚さ方向に自然に膨らむ形状となる。これにより、底マチ５８は厚みを帯びた形状に保たれる。底マチ５８は、第３折目５８３の第３縫合部５８５及び第２折目５８２の第２縫合部５８４によって補強されるため、比較的高い剛性を有する。そのため、本実施形態の底マチ５８は、本体部４２を安定して自立させることができる。
【００３３】
図８に示すように、ポケットシート５２は、第２シート５０の表面５０７の上に重ね合わされる。ポケットシート５２と第２シート５０とは第２収容室５６を形成する。ポケットシート５２は、第１シート４８及び第２シート５０と同じ幅を有する。ポケットシート５２の幅方向の一方の側辺５２１は第１シート４８の一方の側辺４８１において第１シート４８及び第２シート５０に縫合される。また、ポケットシート５２の幅方向の他方の側辺５２２は、第１シート４８の他方の側辺４８１に縫合される。
【００３４】
図９に示すように、ポケットシート５２の底辺５２３は、第２折目５８２の第２縫合部５８４において、第２シート５０に縫合される。ポケットシート５２は、裏面５２４を第２シート５０に向けた状態で第２シート５０に縫合される。この構造により、ポケットシート５２の本体部４２の厚さ方向への膨出を防ぐことができる。ポケットシート５２は、幅方向の中央部が、屈曲部４６に沿った第１縫合部５０６により、第２シート５０及び第１シート４８に縫合される。第１縫合部５０６は、第２収容室５６を幅方向に２室に区画する。
【００３５】
本実施形態の小物収納具４０は以上のように構成される。以下、小物収納具４０の製造方法について説明する。小物収納具４０の製造では、まず、帆布生地を所定形状に裁断することにより、第１シート４８と、第２シート５０とが形成される。次に、第１シート４８と第２シート５０とは、第１シート４８の底辺４８３と第２シート５０の底辺５０３とが一致するように重ね合わされる。第１シート４８の底辺４８３付近と、第２シート５０の底辺５０３付近とが、縫合により接合される。この縫合により形成される第３縫合部５８５は、第３折目５８３となる。
【００３６】
次に、第２シート５０の表面５０７に、ポケットシート５２が重ね合わされる。ポケットシート５２の素材は、メッシュ生地である。ポケットシート５２の底辺５２３は、第２シート５０の第２折目５８２に沿って位置決めされる。次に、ポケットシート５２の底辺５２３に沿って、ポケットシート５２が第２シート５０に縫合される。この縫合により第２縫合部５８４が形成される。
【００３７】
次に、第１シート４８の下端部が第１折目５８１として折り返される。また、第２シート５０の縫合ライン付近が第２折目５８２として折り返される。これにより、底マチ５８が形成される。次に、ファスナー４４は、第１シート４８の両方の側辺４８１、４８２及び上辺４２４に配置される。次に、第１シート４８の側辺４８１と、第２シート５０の側辺５０４と、ポケットシート５２の側辺５２１は、ファスナー４４と共に、縫合により接合される。第１シート４８の側辺４８２と、第２シート５０の側辺５０５と、ポケットシート５２の側辺５２２とが縫合により接合される。底マチ５８は、側辺４８１、４８２と共に縫合される。その後、第１シート４８の幅方向の中央部の屈曲部４６に沿って、第１シート４８と、第２シート５０と、ポケットシート５２とが縫合される。以上の工程により、本実施形態の小物収納具４０が完成する。
【００３８】
本実施形態の小物収納具４０の作用について説明する。
【００３９】
図８に示すように、小物収納具４０は、第１シート４８の表面４８０の上に第１収容室５４と第２収容室５６とが形成される。第１収容室５４は、下部に底マチ５８を有する。底マチ５８は、厚さ方向の中央に第１シート４８の裏面４８４と第２シート５０の表面５０７とを向かい合わせに配置して縫合して形成された第３折目５８３を有する。このため、第１折目５８１は、第１シート４８を構成する帆布生地が平面に復元しようと変形する。第１折目５８１及び第２折目５８２の変形により、底マチ５８は厚さ方向に広がった状態となる。第１収容室５４は、底マチ５８が広がることで、厚手の被収容物をスムーズに収容できる。また、厚さ方向に広がった底マチ５８は、第２縫合部５８４及び第３縫合部５８５により補強されるため、比較的高い剛性を有する。したがって、底マチ５８は、小物収納具４０の底辺４２３に安定した平面状の部分を形成して、小物収納具４０を自立可能とする。
【００４０】
一方、ポケットシート５２は、マチを形成することなく第２シート５０に縫合される。図９に示すように、ポケットシート５２及び第２シート５０は、第２収容室５６を形成する。第２収容室５６は、厚さ方向に広がらない。そのため、第２収容室５６は、名刺、カード類又は紙片等の薄手の被収容物を厚さ方向に嵩張ることなく収容できる。
【００４１】
以下、上述の第１及び第２実施形態に係る小物収納具１０、４０の効果について説明する。
【００４２】
本実施形態の小物収納具１０、４０は、厚手の被収容物を収容する第１収容室２４、５４と、薄手の被収容物を収容する第２収容室２６、５６とが厚さ方向に重なった小物収納具であって、第１収容室の背部を構成する第１シート１８、４８と、前記第１シートの前面側に重ね合わされた第２シート２０、５０と、前記第１シート及び前記第２シートに重ね合わせて配置され、前記第２シートとの間に前記第２収容室を形成するポケットシート２２、５２と、を備え、前記第１収容室の底部は、前記第１シートの底辺１８６、４８３と前記第２シートの底辺２０３、５０３との接合部を含み前記第１収容室の下端を塞ぐ底マチ２８、５８を有し、前記底マチは、前記第１シートとの境に形成され前記第１シートの下端から前記第１シートと前記第２シートの間の上方に向けて屈曲する第１折目２８１、５８１と、前記第２シートとの境に形成され前記第２シートの下端から前記第１シートと前記第２シートとの間の上方に向けて屈曲する第２折目２８２、５８２と、前記第１折目と前記第２折目との間の前記底部に形成された第３折目２８３、５８３と、を有し、前記ポケットシート２２、５２の底辺２２３、５２３は、底マチの第２折目に重なる。
【００４３】
上述の小物収納具は、厚手の被収容物及び薄手の被収容物を効率よく収納する。
【００４４】
上述の小物収納具において、前記ポケットシートは、前記第２シートの前面から前記第２シートに重ね合わされ、前記第２収容室は前記第２シートの前面に形成されてもよい。この小物収納具４０は、第２シートの外側に第２収容室５６を設けることができる。
【００４５】
上述の小物収納具において、前記ポケットシートは、前記第２シートの背面から前記第２シートに重ね合わされ、前記第２収容室は前記第２シートの背面に形成されてもよい。この小物収納具１０は、第２シート２０の内側に第２収容室２６が形成される。小物収納具１０は、第２シート２０の前面３２を平滑に仕上げることができる。
【００４６】
上述の小物収納具において、前記第１折目は、前記第１シートに含まれ、かつ前記第１シートに折目加工を施して形成され、前記第２折目は、前記第２シートに含まれ、かつ前記第２シートに折目加工を施して形成され、前記第３折目は前記第１シートと前記第２シートとの接合部により形成されてもよい。この小物収納具４０は、第３折目５８３の強度が増すことにより、底マチ５８の剛性を高めることができる。剛性の高い底マチ５８は、小物収納具４０を自立可能とする。
【００４７】
上述の小物収納具において、前記第３折目は前記第１折目及び前記第２折目よりも高い剛性を有することで前記底マチの形状を保つように構成してもよい。この小物収納具は、底マチの剛性が高いため、底マチを下にして自立させることができる。
【００４８】
上述の小物収納具において、前記第１シート、前記第２シート及び前記ポケットシートの材料は、布であり、前記第３折目は、前記第１シートの背面４２５と前記第２シートの前面とを向かい合わせで重ね合わせて縫合して形成されてもよい。この小物収納具４０は、第１折目５８１及び第２折目５８２が膨らむように変形することで底マチ５８が広がり、第１収容室５４を広げることができる。また、広がった底マチ５８は、小物収納具４０の自立を安定させる。
【００４９】
上述の小物収納具において、前記第１折目は、前記第１シートと前記第２シートとの接合部により形成され、前記第２折目及び前記第３折目は、前記第２シートに含まれ、かつ前記第２シートに折目加工を施して形成されてもよい。この小物収納具１０は、底マチ２８を第２シート２０の折り曲げ加工により、効率よく形成できる。
【００５０】
上述の小物収納具において、前記第１シート、前記第２シート及び前記ポケットシートの材料は、可撓性の樹脂シートであり、前記第１折目は前記第１シートと前記第２シートとの溶着部２０５により形成されてもよい。この小物収納具１０は、第１折目を第２シート２０と第１シート１８との溶着と同時に形成できる。
【００５１】
上述の小物収納具において、前記第１折目は、前記第２折目及び前記第３折目よりも下方に延びて前記第２シートに重ならない位置に配置され、前記第１折目は前記第２シートの前記第２折目及び前記第３折目に妨げられることなく溶着可能であってもよい。この小物収納具１０は、第１折目の溶着が容易になり、生産性に優れる。
【００５２】
上述の小物収納具において、前記第２シートの材料は、透明な樹脂シートであり、前記ポケットシートの材料は半透明な樹脂シートである。この小物収納具１０は、第１収容室２４をポケットシート２２で隠すことができる。この小物収納具１０は、第２収容室２６を外から見えてもよい被収容物を収容する区画とし、第１収容室２４は見せたくない被収容物を収容する区画として使用できる。
【００５３】
上述の小物収納具において、前記ポケットシートの底辺は、前記第２折目に接合されておらず、前記第２収容室の底部は前記第１収容室の前記底部と共通してもよい。この小物収納具１０は、ポケットシート２２が厚さ方向に変形しやすくなるため、第２収容室２６を厚さ方向に広げやすくなる。
【００５４】
なお、本考案は、上述した実施形態に限らず、本考案の要旨を逸脱することなく、種々の構成を取り得る。
【符号の説明】
【００５５】
１０、４０…小物収納具                １８、４８…第１シート
２０、５０…第２シート                ２２、５２…ポケットシート
２４、５４…第１収容室                ２６、５６…第２収容室
２８、５８…底マチ                    ２８１、５８１…第１折目
２８２、５８２…第２折目              ２８３、５８３…第３折目
【図１】
0003235384.tif 000003
【図２】
0003235384.tif 000004
【図３】
0003235384.tif 000005
【図４】
0003235384.tif 000006
【図５】
0003235384.tif 000007
【図６】
0003235384.tif 000008
【図７】
0003235384.tif 000009
【図８】
0003235384.tif 000010
【図９】
0003235384.tif 000011